(57)【要約】【課題】ハンドバッグ、ショルダーバッグ、アタッシュケース、ボストンバッグ等の新しい機能すなわち耐熱性、耐化学薬品性、低摩擦性、難燃性、純粋性、低温特性、電気的特性、非粘着性、耐候性、耐微生物分解性や風合いや使用感或いはフルオロカーボン独特の質感を提供するものである。【解決手段】ハンドバッグ、ショルダーバッグ、アタッシュケース、ナップザック、ボストンバッグ等の素材として従来まったく使われていなかったポリフルオロカーボン樹脂を素材として使用した。【効果】ポリフルオロカーボン樹脂を使用することによって耐熱性、耐化学薬品性、低摩擦性、難燃性、純粋性、低温特性、電気的特性、非粘着性、耐候性、耐微生物分解性を飛躍的に向上せしめるとともに、素材独特の風合いや使用感或いは質感を現出せしめることを可能とした。【選択図】図１
2004223226.tif 000002
【特許請求の範囲】
【請求項１】
外装材がポリテトラフルオロエチレン樹脂（ＰＴＦＥ）、テトラフルオロエチレン樹脂（ＦＥＰ）、テトラフルオロエチレン・パーフルオロアルキルビニルエーテル共重合体（ＰＦＡ）、エチレン・テトラフルオロエチレン共重合体（ＥＴＦＥ）、クロロトリフルオロエチレン・エチレン共重合体（ＰＣＴＥＦ）、ポリフッ化ビニリデン樹脂（ＰＶｄＦ）、ＴＦＥ／ＨＦＰ／ＰＰＶＥ三元共重合体樹脂（ＥＰＥ）等のポリフルオロカーボン樹脂によってなることを特徴とするハンドバッグ、ショルダーバッグ、ナップザック、アタッシュケース、ボストンバッグ
【請求項２】
内装材がポリテトラフルオロエチレン樹脂（ＰＴＦＥ）、テトラフルオロエチレン樹脂（ＦＥＰ）、テトラフルオロエチレン・パーフルオロアルキルビニルエーテル共重合体（ＰＦＡ）、エチレン・テトラフルオロエチレン共重合体（ＥＴＦＥ）、クロロトリフルオロエチレン・エチレン共重合体（ＰＣＴＥＦ）、ポリフッ化ビニリデン樹脂（ＰＶｄＦ）、ＴＦＥ／ＨＦＰ／ＰＰＶＥ三元共重合体樹脂（ＥＰＥ）等のポリフルオロカーボン樹脂によってなることを特徴とする請求項１に記載のハンドバッグ、ショルダーバッグ、ナップザック、アタッシュケース、ボストンバッグ
【請求項３】
心金或いは補強材の材質がポリテトラフルオロエチレン樹脂（ＰＴＦＥ）、テトラフルオロエチレン樹脂（ＦＥＰ）、テトラフルオロエチレン・パーフルオロアルキルビニルエーテル共重合体（ＰＦＡ）、エチレン・テトラフルオロエチレン共重合体（ＥＴＦＥ）、クロロトリフルオロエチレン・エチレン共重合体（ＰＣＴＥＦ）、ポリフッ化ビニリデン樹脂（ＰＶｄＦ）、ＴＦＥ／ＨＦＰ／ＰＰＶＥ三元共重合体樹脂（ＥＰＥ）等のポリフルオロカーボン樹脂によってなることを特徴とする請求項１及び請求項２の何れかに記載のハンドバッグ、ショルダーバッグ、ナップザック、アタッシュケース、ボストンバッグ
【発明の詳細な説明】
【０００１】
【発明の属する技術分野】近年、日常生活に欠かせないハンドバッグ、ショルダーバッグ、ナップザック、アタッシュケース、ボストンバッグ等のバッグ類はエルメス、ルイ・ヴィトン、グッチ、フェラガモ等々のデザイナーズキャラクターブランドにより一大ブームを起こしている。これらの素材は天然皮革又は人工皮革、天然繊維又は人工繊維或いは金属材料又は木質材料等によるがその範囲は極めて限られている。本願は従来まったく使われていない材料を素材に使用し新しい機能、風合いや使用感或いは質感の現出に関するものである。
【０００２】
【従来の技術】従来、ハンドバッグ、ショルダーバッグ、ナップザック、アタッシュケース、ボストンバッグ等に使用される素材は天然皮革では牛、馬、ワニ、ダチョウ等、人工皮革では塩ビ樹脂、天然繊維では綿、麻等、人工繊維ではポリエステル、ナイロン等々が主として使用されてきたがその範囲と性能はきわめて限られたものである。これらの素材は長い歴史の中で取捨選択されてきたものであるが、いずれの素材も新しい機能すなわち耐熱性、耐化学薬品性、低摩擦性、難燃性、純粋性、低温特性、電気的特性、非粘着性、耐候性、耐微生物分解性や風合いなどの使用感或いはフルオロカーボン独特の質感を提供するものではない。
【０００３】
【発明が解決しようとする課題】本発明は、従来技術の欠点を解決するものであり、ハンドバッグ、ショルダーバッグ、ナップザック、アタッシュケース、ボストンバッグ等の新しい機能すなわち耐熱性、耐化学薬品性、低摩擦性、難燃性、純粋性、低温特性、電気的特性、非粘着性、耐候性、耐微生物分解性や風合いや使用感或いはフルオロカーボン独特の質感を提供するものである。
【０００４】
【課題を解決するための手段】ハンドバッグ、ショルダーバッグ、ナップザック、アタッシュケース、ボストンバッグ等に使用される素材は天然皮革では牛、馬、ワニ、ダチョウ等、人工皮革では塩ビ樹脂、天然繊維では綿、麻等、人工繊維ではポリエステル、ナイロン等々が主として使用されてきたがその範囲と性能はきわめて限られたものである。本発明は、上記課題を解決するために、請求項１の発明は、外装材がポリテトラフルオロエチレン樹脂（ＰＴＦＥ）、テトラフルオロエチレン樹脂（ＦＥＰ）、テトラフルオロエチレン・パーフルオロアルキルビニルエーテル共重合体（ＰＦＡ）、エチレン・テトラフルオロエチレン共重合体（ＥＴＦＥ）、クロロトリフルオロエチレン・エチレン共重合体（ＰＣＴＥＦ）、ポリフッ化ビニリデン樹脂（ＰＶｄＦ）、ＴＦＥ／ＨＦＰ／ＰＰＶＥ三元共重合体樹脂（ＥＰＥ）等のポリフルオロカーボン樹脂によってなるハンドバッグ、ショルダーバッグ、ナップザック、アタッシュケース、ボストンバッグであることを特徴とする。
【０００５】請求項２の発明は、内装材がポリテトラフルオロエチレン樹脂（ＰＴＦＥ）、テトラフルオロエチレン樹脂（ＦＥＰ）、テトラフルオロエチレン・パーフルオロアルキルビニルエーテル共重合体（ＰＦＡ）、エチレン・テトラフルオロエチレン共重合体（ＥＴＦＥ）、クロロトリフルオロエチレン・エチレン共重合体（ＰＣＴＥＦ）、ポリフッ化ビニリデン樹脂（ＰＶｄＦ）、ＴＦＥ／ＨＦＰ／ＰＰＶＥ三元共重合体樹脂（ＥＰＥ）等のポリフルオロカーボン樹脂によってなる請求項１に記載のハンドバッグ、ショルダーバッグ、ナップザック、アタッシュケース、ボストンバッグであることを特徴とする。
【０００６】請求項３の発明は、心金或いは補強材の材質がポリテトラフルオロエチレン樹脂（ＰＴＦＥ）、テトラフルオロエチレン樹脂（ＦＥＰ）、テトラフルオロエチレン・パーフルオロアルキルビニルエーテル共重合体（ＰＦＡ）、エチレン・テトラフルオロエチレン共重合体（ＥＴＦＥ）、クロロトリフルオロエチレン・エチレン共重合体（ＰＣＴＥＦ）、ポリフッ化ビニリデン樹脂（ＰＶｄＦ）、ＴＦＥ／ＨＦＰ／ＰＰＶＥ三元共重合体樹脂（ＥＰＥ）等のポリフルオロカーボン樹脂によってなる請求項１及び請求項２の何れかに記載のハンドバッグ、ショルダーバッグ、ナップザック、アタッシュケース、ボストンバッグであることを特徴とする。
【０００７】
【発明の実施の形態】図１及び図２は本発明を適用したハンドバッグ及びアタッシュケースの構成例を示す。図１においては、ハンドバッグ本体１の前部２、後部３、底部４、側部５、側部６、持ち手補強部７、持ち手部１０それぞれをトヨフロン＃４０６（ＰＴＦＥ）布地で作成した。
【０００８】図２においては、アタッシュケース本体１１の前部１２、後部１３、底部１４、側部１５、側部１６、上部１７、持ち手部２０それぞれをトヨフロン＃４０６（ＰＴＦＥ）布地で作成した。
【０００９】
【発明の効果】以上の如く、本発明によればハンドバッグ、ショルダーバッグ、ナップザック、アタッシュケース、ボストンバッグ等の外装材、内装材或いは心金や補強材の素材として従来まったく使われていなかったポリフルオロカーボン樹脂の素材を使用することによって、従来の素材と比較して飛躍的な耐熱性と、ほとんどすべての化学薬品及び溶剤に対して安定な耐化学薬品性と、固体材料の中で最も低い摩擦係数による低摩擦性と、限界酸素指数（ＬＯＩ）が９５％以上であることによる難燃性と、化学的に不活性でかつ純粋で可塑剤、安定剤、潤滑剤、酸化防止剤などの添加剤が一切含まれていないことによる純粋性と、極低温（−１９６℃）においても５％の伸びがあり極低温での耐衝撃特性が他のどんな樹脂よりも優れていることによる低温特性と、固体絶縁材料中最小の誘電率、誘電正接をもち広い周波数及び温度にわたって安定し体積及び表面抵抗率が最大の値を示す電気的特性と、表面エネルギーが固体材料の中で最も小さく優れた非粘着性と離型性と、屋外で長期間使用しても酸化、表面汚染、変色、劣化などがほとんど見られない耐候性と、酸素や微生物のアタックに対して不活性な耐微生物分解性等の機能に加えて独特の風合いや使用感或いは質感を現出せしめることを可能とした。
【００１０】
【図面の簡単な説明】
【図１】本発明のハンドバッグの全体構成を説明する図である。
【図２】本発明のアタッシュケースの全体構成を説明する図である。
【００１１】
【符号の説明】１ハンドバッグ本体、２前部、３後部、４底部、５側部、６側部、７持ち手補強部、８ファスナー、９ファスナー、１０持ち手部、１１アタッシュケース本体、１２前部、１３後部、１４底部、１５側部、１６側部、１７上部、１８ファスナー、１９ファスナー、２０持ち手部
【図１】
2004223226.tif 000003
【図２】
2004223226.tif 000004